(57)【要約】【課題】電話部に関する音声とオーディオ部に関する音声とを重要度に応じて出力させることができる携帯電話装置を提供する。【解決手段】電話部１に関する音声信号とオーディオ部３に関する音声信号が同時に音声選択部２に入力された場合、優先度の高い方の音声信号が選択されて出力される。また、両音声信号の優先度が同じであった場合、電話部１に関する音声信号とオーディオ部３に関する音声信号とが同時に音声選択部２から出力される。このように、優先度の設定や変更により優先して出力したい音声信号を選択でき、これにより、両音声信号を重要度に応じて使い分けることができ、ユーザにとって汎用性の高い携帯電話装置を得ることができる。【選択図】　　図１
2004015166.tif 000002
【特許請求の範囲】
【請求項１】
無線で通話を行う電話部と、音声信号の記録・再生を行うオーディオ部とを有する携帯電話装置において、前記電話部に関する音声信号と前記オーディオ部に関する音声信号とを優先度に従って選択して出力する音声選択部を設けたことを特徴とする携帯電話装置。
【請求項２】
無線で通話を行う電話部と、音声信号の記録・再生を行うオーディオ部とを備えた携帯電話装置において、前記電話部に関する音声信号と前記オーディオ部に関する音声信号とを優先度に従って選択し、選択された音声信号が１個の場合は該音声信号をミキシングせずに出力し、選択された音声信号が複数個の場合は該音声信号をミキシングして出力する音声選択部を設けたことを特徴とする携帯電話装置。
【請求項３】
前記電話部に関する音声信号の優先度と前記オーディオ部に関する音声信号の優先度は、ユーザの操作情報により設定または変更することが可能であることを特徴とする請求項２に記載の携帯電話装置。
【請求項４】
前記音声選択部は、前記電話部に関する音声信号および前記オーディオ部に関する音声信号を優先度に従って選択して入力する入力セレクタと、該入力セレクタにより選択された音声信号が１個の場合は該音声信号をミキシングせずに出力し、選択された音声信号が複数個の場合は該音声信号をミキシングして出力するミキシング回路とを備えたことを特徴とする請求項２に記載の携帯電話装置。
【請求項５】
前記電話部に関する音声信号の優先度と前記オーディオ部に関する音声信号の優先度とが同一に設定された場合、前記音声選択部は前記電話部に関する音声信号と前記オーディオ部に関する音声信号とを同時に出力することを特徴とする請求項２に記載の携帯電話装置。
【請求項６】
前記オーディオ部に関する音声信号と同時に出力する前記電話部に関する音声信号は、電話着信時を示す着信音信号であることを特徴とする請求項５に記載の携帯電話装置。
【請求項７】
前記オーディオ部に関する音声信号と同時に出力する前記電話部に関する音声信号は、応答メッセージであることを特徴とする請求項５に記載の携帯電話装置。
【請求項８】
前記オーディオ部に関する音声信号と同時に出力する前記電話部に関する音声信号は、通話相手への音声信号であることを特徴とする請求項５に記載の携帯電話装置。
【発明の詳細な説明】
【０００１】
【発明の属する技術分野】
本発明は電話機能の他に音楽などを記録・再生できる機能をも有する携帯電話装置に関する。
【０００２】
【従来の技術】
携帯電話装置は、携帯用二次電池の小型化かつ蓄積電気量の増大による高性能化、電子部品の低消費電力化、ＣＰＵの高性能化、メモリ容量の増大などに伴って、機能が年々増加され、性能が高まってきている。そして、携帯電話装置の中でも、音楽などのように長時間の音声を記録・再生できる機能をも有する携帯電話装置が普及しつつある。この種の携帯電話装置に関する従来技術として以下のようなものが知られている。
【０００３】
例えば、実開平５−６９５８号公報に示されるヘッドホンステレオ付携帯電話機は、ヘッドホンステレオ部と、電話部と、一対のイヤホン等と、前記ヘッドホンステレオ部または前記電話部の何れか一方と前記イヤホン等とを接続する切換部とを備え、更に、前記ヘッドホンステレオ部の再生よりも前記電話部の呼出音の再生を優先させる呼出音優先回路を備えている。
【０００４】
また、特開平５−９１５８３号公報に示されるイヤホンは、携帯電話機と携帯音響機器とが一体化された携帯電話装置に接続するもので、左右一対のイヤホンの一方に送話用のマイクを設けたものである。
【０００５】
また、特開平９−１８７０６０号公報に示されるワイヤレスイヤホン付き携帯電話機は、オーディオ再生部と無線電話機とを一体的に有する本体部と、この本大部と無線接続されたイヤホンマイク部とで構成され、前記本体部で再生または受信された音声信号を前記イヤホンマイク部で音声に変換し、かつイヤホンマイク部で生成された音声信号を前記本体部から送信し得るように構成されている。特に前記本体部は、オーディオ音声の再生中は再生した音声信号を前記イヤホンマイク部に送信すると共に、電話の待ち受けを行い、着信があったときにオーディオ音声の再生を中止し、前記イヤホンマイク部に呼出音信号を送信するように構成されている。
【０００６】
また、特開２００１−２０３７８７号公報に示されるヘッドホンステレオアダプタは、ヘッドホンステレオで音声を聴取中に携帯電話機に着信があった際、通話に入るための信号を前記携帯電話機に通知して、音声信号を前記ヘッドホンステレオから前記携帯電話機に切り換えてマイク付きイヤホンでハンズフリー通話を行うことができると共に、通話を終了して再び音声信号を前記ヘッドホンステレオに切り換えて前記ヘッドホンステレオから音声を聴くことができるようになっている。
【０００７】
【発明が解決しようとする課題】
しかしながら、上述した実開平５−６９５８号公報に示されるヘッドホンステレオ付携帯電話機では、ヘッドホンステレオ部の再生よりも電話部の呼出音の再生を優先させる呼出音優先回路を備えているので、オーディオの再生中に電話の呼出があると、オーディオの再生を中止して電話の呼出が優先的に行われるが、オーディオの再生を聴きながら電話の呼出音を聴いたりすることができない。即ち、この従来技術では、オーディオ部の音声を出力しているときに、電話部の着信があった場合、オーディオ部の音声出力を中止し、電話部の着信音のみを出力するようにしているので、音楽などを聴きながら電話の着信音を聴くことができない。
【０００８】
また、特開平５−９１５８３号公報に示されるイヤホンは、携帯電話機と携帯音響機器とが一体化された携帯電話装置に接続すると、この携帯電話装置をカバンやポケットに入れたままで電話機として通話が可能となるだけで、オーディオ部の音声と電話部の音声のどちらを優先して出力するかについては記載されていない。
【０００９】
また、特開平９−１８７０６０号公報に示されるワイヤレスイヤホン付き携帯電話機は、電話の待ち受けを行い、着信があったときにオーディオ音声の再生を中止し、前記イヤホンマイク部に呼出音信号を送信するように構成されているので、オーディオ音声の再生中に着信があった場合の電話機能への切り換え制御のみが考慮されているだけである。即ち、この従来技術も、オーディオ部の音声を出力しているときに、電話部の着信があった場合、オーディオ部の音声出力を中止し、電話部の着信音のみを出力するようにしているので、音楽などを聴きながら電話の着信音を聴くことができない。
【００１０】
また、特開２００１−２０３７８７号公報に示されるヘッドホンステレオアダプタは、オーディオ音声の再生中に着信があった場合の電話機能への切り換え制御のみが考慮されているだけである。即ち、この従来技術も、オーディオ部の音声を出力しているときに、電話部の着信があった場合、オーディオ部の音声出力を中止し、電話部の着信音のみを出力するようにしているので、音楽などを聴きながら電話の着信音を聴くことができない。
【００１１】
本発明は上記のような課題を解決するためになされたもので、電話部に関する音声とオーディオ部に関する音声とを重要度に応じて出力させることができる携帯電話装置を提供することを目的とする。
【００１２】
【課題を解決するための手段】
斯かる課題を解決するべく本発明は、無線で通話を行う電話部と、音声信号の記録・再生を行うオーディオ部とを備え、更に、前記電話部に関する音声信号と前記オーディオ部に関する音声信号とを優先度に従って選択して出力する音声選択部を備えた携帯電話装置を提供する。
【００１３】
本発明によれば、電話部に関する音声信号とオーディオ部に関する音声信号が同時に前記音声選択部に入力された場合、優先度の高い方の音声信号が選択されて出力される。また、両音声信号の優先度が同じであった場合、電話部に関する音声信号とオーディオ部に関する音声信号とが同時に前記音声選択部から出力される。したがって、両音声信号の優先度が同じに設定されている場合は、例えばユーザが音楽を聴いているときに電話の着信が入っても、音楽の再生を中止しなくても着信音も聴くことが可能になる。このように、優先度の設定や変更により優先して出力したい音声信号を選択でき、これにより、両音声信号を重要度に応じて使い分けることができ、ユーザにとって汎用性の高い携帯電話装置を得ることができる。
【００１４】
また、本発明は、無線で通話を行う電話部と、音声信号の記録・再生を行うオーディオ部とを備え、更に前記電話部に関する音声信号と前記オーディオ部に関する音声信号とを優先度に従って選択し、選択された音声信号が１個の場合は該音声信号をミキシングせずに出力し、選択された音声信号が複数個の場合は該音声信号をミキシングして出力する音声選択部を備えた携帯電話装置を提供する。
【００１５】
本発明によれば、電話部に関する音声信号とオーディオ部に関する音声信号が同時に前記音声選択部に入力された場合、優先度の高い方の音声信号が選択されて出力される。また、両音声信号の優先度が同じであった場合、電話部に関する音声信号とオーディオ部に関する音声信号とがミキシングされ前記音声選択部から出力される。したがって、両音声信号の優先度が同じに設定されている場合は例えば、ユーザが音楽を聴いているときに電話の着信が入っても、音楽の再生を中止しなくても着信音も聴くことが可能になる。このように、優先度の設定や変更により、優先して出力したい音声信号を選択でき、これにより、両音声信号を重要度に応じて使い分けることができ、ユーザにとって汎用性の高い携帯電話装置を得ることができる。
【００１６】
また、本発明では、前記電話部に関する音声信号の優先度と前記オーディオ部に関する音声信号の優先度は、ユーザの操作情報により設定または変更することができるので、ユーザが希望するように優先度を設定したり変更したりすることができる。初期設定の優先度は記憶装置に予め記憶させておき、ユーザが変更を必要とする音声信号の優先度を操作により、変更をすれば、優先度の設定が簡単にできるので、好ましい。
【００１７】
また、本発明では、前記音声選択部は、前記電話部に関する音声信号および前記オーディオ部に関する音声信号を優先度に従って選択して入力する入力セレクタと、該入力セレクタにより選択された音声信号が１個の場合は該音声信号をミキシングせずに出力し、選択された音声信号が複数個の場合は該音声信号をミキシングして出力するミキシング回路とを備えたので、前記電話部に関する音声信号および前記オーディオ部に関する音声信号は優先度に従って選択され、選択された音声信号が１個の場合はミキシングせずに出力され、選択された音声信号が複数個の場合はミキシングされて出力される。このような構成の音声選択部により、前記電話部に関する音声信号および前記オーディオ部に関する音声信号の何れかを優先して出力させたり、両音声信号を同時に出力させたりすることが可能になる。即ち、音声信号の重要度に応じて出力したい音声信号を選択することができる。
【００１８】
また、本発明では、前記電話部に関する音声信号の優先度と前記オーディオ部に関する音声信号の優先度とが同一に設定された場合、前記音声選択部は前記電話部に関する音声信号と前記オーディオ部に関する音声信号とを同時に出力するようにしたので、例えば、ユーザが例えば音楽を聴いているときに電話の着信が入っても、音楽の再生を中止しなくても着信音を聴くことが可能になる。
【００１９】
また、本発明では、前記オーディオ部に関する音声信号と同時に出力する前記電話部に関する音声信号は、電話着信時を示す着信音信号であるので、ユーザが例えば音楽を聴いているときに電話の着信が入っても、音楽と着信音を同時に聴くことが可能になる。
【００２０】
また、本発明では、前記オーディオ部に関する音声信号と同時に出力する前記電話部に関する音声信号は、応答メッセージであるので、ユーザが例えば音楽を聴いているときに電話が入っても、音楽を聴きながら応答メッセージも聴くことが可能になり、その応答メッセージを確認することができる。
【００２１】
また、本発明では、前記オーディオ部に関する音声信号と同時に出力する前記電話部に関する音声信号は、通話相手への音声信号であるので、ユーザは通話相手に音楽とコメントを同時に送ることが可能になる。
【００２２】
【発明の実施の形態】
以下、添付図面を参照しつつ、本発明の実施の形態について説明する。図１は本発明の一実施形態に係る携帯電話装置の構成を示すブロック図である。この携帯電話装置は、装置全体を制御するＣＰＵ４と、ＣＰＵ４の動作に必要なデータを記憶する記憶装置６と、ＣＰＵ４により制御され無線で相手と通話やメール通信を行う電話部１と、電話部１に接続されたアンテナＡと、ＣＰＵ４により制御され入出力される音声データの切り換え処理やミキシング処理を行う音声選択部２と、ＣＰＵ４により制御され音楽データなどの音声データの録音・再生処理を行うオーディオ部３と、音声を入力するマイクおよび音声を発生するスピーカを有するマイク・スピーカ部５とを備えている。なお、マイク・スピーカ部５は、本携帯電話装置に内蔵されたマイクとスピーカ、および本携帯電話装置に接続される外部のマイクとスピーカを含んでいる。
【００２３】
電話部１は、ＣＰＵ４と音声選択部２などに接続されており、ＣＰＵ４の制御に従って音声選択部２との信号の入出力を行う。音声選択部２は、電話部１とＣＰＵ４とオーディオ部３とマイク・スピーカ部５などに接続されており、ＣＰＵ４の制御に従って、電話部１とオーディオ部３とマイク・スピーカ部５との信号の入出力をそれぞれ行う。オーディオ部３は、ＣＰＵ４と音声選択部２などに接続されており、ＣＰＵ４の制御に従って音声選択部２との信号の入出力を行う。マイク・スピーカ部５は、音声選択部５に接続されており、音声選択部５と信号の入出力を行う。
【００２４】
図２は図１に示した電話部１の詳細な構成を示すブロック図である。この電話部１は、アンテナＡ、送受信部１１、変調部１２、復調部１３、入力部１４、表示部１５、リンガ制御部１６、およびＯＧＭ（応答メッセージ）制御部１７を備えている。ＣＰＵ４および記憶装置６は、図１で説明したように携帯電話装置に備えられたものである。
【００２５】
受信時における処理では、アンテナＡより受信した音声データは、送受信部１１に入力され、ＣＰＵ４に従って制御される復調部１３により復調された後、音声選択部２（図１参照）に送られる。送信時における処理では、音声選択部２から送られてきた音声データは、ＣＰＵ４に従って制御される変調部１２により変調された後、送受信部１１に入力され、アンテナＡより電波として送信される。
【００２６】
着信時における処理では、記憶装置６に予め記憶された着信音データがＣＰＵ４の制御により読み出されてリンガ制御部１６に入力され、リンガ制御部１６から着信音信号として出力される。この後、着信音信号は音声選択部２に送られ、マイク・スピーカ部５のスピーカで音声化され、着信時音として出力される。
【００２７】
着信応答後の留守録応答メッセージの出力処理では、記憶装置６に予め記憶された留守録応答メッセージデータがＣＰＵ４の制御により読み出されてＯＧＭ制御部１７に入力され、ＯＧＭ制御部１７から留守録応答メッセージ信号として出力される。この後、留守録応答メッセージ信号は音声選択部２に送られ、マイク・スピーカ部５のスピーカで音声化され、留守録応答メッセージとして出力される。なお、応答メッセージとしては留守録応答メッセージに限らず、着信時の応答メッセージでも良い。
【００２８】
ユーザの各種設定処理では、表示部１５に表示された情報に従ってユーザが入力部１４を操作して設定情報を入力する。この入力された設定情報はＣＰＵ４の制御により記憶装置６に記憶され、ユーザの希望する設定が完了する。
【００２９】
図３は、図１に示した音声選択部２の詳細な構成を示すブロック図である。この音声選択部２は、電話部１に関する音声信号およびオーディオ部３に関する音声信号を優先度に従って選択して入力する入力セレクタ２１と、この入力セレクタ２１により選択された音声信号が１個の場合は該音声信号をミキシングせずに出力し、選択された音声信号が複数個の場合は該音声信号をミキシングして出力するミキシング回路２２と、マイク・スピーカ部５のスピーカやイヤホンを選択しミキシング回路２２からの音声信号をその選択したスピーカやイヤホンに出力する出力セレクタ２３とを備えている。ＣＰＵ４は、記憶装置６に記憶された入力セレクタデータにより入力セレクタ２１のセレクタ動作を制御する。また、ＣＰＵ４は、記憶装置６に記憶された音量調整データおよびミキシングデータによりミキシング回路２２内の音量調整およびミキシング動作を制御する。また、ＣＰＵ４は、記憶装置６に記憶された出力セレクタデータにより出力セレクタ２３セレクタ動作を制御する。
【００３０】
電話部１やオーディオ部３から発生した音声信号は入力セレクタ２１により選択され、選択された音声信号はミキシング回路２２により音量調整およびミキシングが行われる。そして、ミキシング回路２２より出力された音声信号は、出力セレクタ２３により出力先が決定され、出力先へ出力される。なお、ミキシング回路２２に入力された音声信号が１個のときはミキシングされない。
【００３１】
図４は図１に示したオーディオ部３の詳細な構成を示すブロック図である。オーディオ部３は、ＣＰＵ４と記憶装置６などに接続されている。音声再生時は、オーディオ部３は、記憶装置６に記憶されている音声データをＣＰＵ４の制御により入力して音声信号を作成し、この音声信号を音声選択部２（図１参照）に送る。音声録音時は、オーディオ部３は、音声選択部２から送られてきた音声データをＣＰＵ４の制御により記憶装置６に書き込む。
【００３２】
図５は図１に示したマイク・スピーカ部５に含まれる構成要素を示すブロック図である。図５において、５１は携帯電話装置に接続されるイヤホンマイクの構成例を示し、このイヤホンマイク５１はイヤホン５１ａ，５１ｂとマイク５１ｃを備えている。音声入力時は、マイク５１ｃで音声を入力して、音声信号に変換し、この音声信号を音声選択部２に送る。音声出力時は、音声選択部２から送られてきた音声信号をイヤホン５１ａ，５１ｂに入力して、音声としてイヤホン５１ａ，５１ｂから出力する。
【００３３】
５２は携帯電話装置に内蔵された携帯電話マイク・スピーカの構成例を示し、この携帯電話マイク・スピーカ５２はスピーカ５２ａとマイク５２ｂを備えている。音声入力時は、マイク５２ｂで音声を入力して、音声信号に変換し、この音声信号を音声選択部２に送る。音声出力時は、音声選択部２から送られてきた音声信号をスピーカ５２ａに入力し、音声としてスピーカ５２ａから出力する。
【００３４】
５３は携帯電話装置に接続されるイヤホン／ヘッドホンの構成例を示し、このイヤホン／ヘッドホン５３は携帯電話装置に接続されるイヤホン５３ａ，５３ｂを備えている。音声出力時は、音声選択部２から送られてきた音声信号をイヤホン／ヘッドホン入出力セレクタ５４を介してイヤホン５３ａ，５３ｂに入力し、音声としてイヤホン５３ａ，５３ｂから出力する。なお、イヤホン５３ａ，５３ｂはスピーカであっても良い。
【００３５】
以上のように構成された携帯電話装置において、ユーザは、オーディオ、リンガ音、応答メッセージ、通話中の音声受話、通話中の音声送話、音声入出力に関する設定を、表示部１５の内容を見ながら、入力部１４を操作して行う。設定内容は、オーディオ優先設定、通話優先設定、イヤホン入出力設定などがある。
【００３６】
次に図２〜図５に示す構成要素間の接続構成について説明する。図２中の変調部１２のラインＬ１２は、図３中の出力セレクタ２３のライン１２に接続されている。図２中の復調部２３のラインＬ５は、図３中の入力セレクタ２１のラインＬ５に接続されている。図２中のリンガ制御部１６のラインＬ６は、図３中の入力セレクタ２１のラインＬ６に接続されている。図２中のＯＧＭ制御部１７のラインＬ７は、図３中の入力セレクタ２１のラインＬ７に接続されている。
【００３７】
図４中のオーディオ部３のラインＬ１１は、図３中の出力セレクタ２３のラインＬ１１に接続されている。図４中のオーディオ部３のラインＬ３は、図３中の入力セレクタ２１のラインＬ３に接続されている。図４中のオーディオ部３のラインＬ４は、図３中の出力セレクタ２３のラインＬ４に接続されている。
【００３８】
図５中のイヤホン５１ａのラインＬ８は、図３中の出力セレクタ２３のラインＬ８に接続されている。図５中のイヤホン５１ｂのラインＬ９は、図３中の出力セレクタ２３のラインＬ９に接続されている。図５中のマイク５１ｃのラインＬ１は、図３中の入力セレクタ２３のラインＬ１に接続されている。
【００３９】
図５中のスピーカ５２ａのラインＬ１０は、図３中の出力セレクタ２３のラインＬ１０に接続されている。図５中のマイク５２ｂのラインＬ２は、図３中の入力セレクタ２３のラインＬ２に接続されている。
【００４０】
図５中のイヤホン／ヘッドホン入出力セレクタ５４のラインＬ８は、図３中の出力セレクタ２３のラインＬ８に接続されている。図５中のイヤホン／ヘッドホン入出力セレクタ５４のラインＬ９は、図３中の出力セレクタ２３のラインＬ９に接続されている。図５中のイヤホン／ヘッドホン入出力セレクタ５４のラインＬ１は、図３中の出力セレクタ２３のラインＬ１に接続されている。
【００４１】
以下、図１〜図５を参照して携帯電話装置の動作について説明する。先ず、外部のイヤホンマイク５１を携帯電話装置に接続してオーディオ再生および通話を行う動作について説明する。
【００４２】
例えば、音楽などのオーディオを再生する際は、オーディオ部３は、ＣＰＵ４の制御およびＣＰＵ４により記憶装置６から読み出された音声データに基づいて音声信号（ステレオの場合は左側音声信号と右側音声信号）を作成し、左側音声信号ｓ３をラインＬ３に出力し、右側音声信号ｓ４をラインＬ４に出力する。入力セレクタ２１は、ＣＰＵ４の制御およびＣＰＵ４により記憶装置６から読み出された入力セレクタデータに基づいて、ラインＬ３およびラインＬ４を選択し、左側音声信号ｓ３および右側音声信号ｓ４を入力してミキシング回路２２に与える。
【００４３】
ミキシング回路２２は、ＣＰＵ４の制御およびＣＰＵ４により記憶装置６から読み出された音量調整データに基づいて音楽などのオーディオの音量を調整し、ミキシングなしで、出力セレクタ２３に左側音声信号および右側音声信号を与える。出力セレクタ２３は、ＣＰＵ４の制御およびＣＰＵ４により記憶装置６から読み出された出力セレクタデータに基づいてラインＬ８およびラインＬ９を選択し、イヤホン５１ａおよびイヤホン５１ｂに音量調整された左側音声信号ｓ８および右側音声信号ｓ９を与える。これにより、イヤホン５１ａ，５１ｂから音楽などのオーディオの音声が出力される。
【００４４】
次に音楽などのオーディオを再生中に電話の着信があった場合を説明する。音楽などのオーディオを再生中に電話の着信があると、リンガ制御部１６は、ＣＰＵ４の制御およびＣＰＵ４により記憶装置６から読み出された着信音データに基づいて着信音信号ｓ６を作成し、この着信音信号ｓ６をラインＬ６に出力する。入力セレクタ２１は、ＣＰＵ４の制御およびＣＰＵ４により記憶装置６から読み出された入力セレクタデータに基づいてラインＬ６を選択して着信音信号ｓ６を入力する。ここで、ユーザ設定がオーディオ優先に設定されている場合、入力セレクタ２１は、ラインＬ６の着信音信号ｓ６およびラインＬ３，Ｌ４の音声信号ｓ３，ｓ４をミキシング回路２２に入力し、着信優先の場合はラインＬ６の着信音信号ｓ６のみをミキシング回路２２に入力する。
【００４５】
ミキシング回路２２は、ＣＰＵ４の制御に基づくと共に、ＣＰＵ４により記憶装置６から読み出された音量調整データとミキシングデータに基づいて入力信号の音量調整およびミキシングを行い、この音量調整およびミキシングされた音声信号を出力セレクタ２３に入力する。出力セレクタ２３は、ＣＰＵ４の制御およびＣＰＵ４により記憶装置６から読み出された出力セレクタデータに基づいて音声信号の出力先を選択し、例えばラインＬ８およびラインＬ９を選択すると、ラインＬ８およびラインＬ９を介して左側音声信号ｓ８および右側音声信号ｓ９がイヤホン５１ａおよびイヤホン５１ｂにそれぞれ入力され。これにより、イヤホン５１ａからは左側の音声が出力され、イヤホン５１ｂからは右側の音声が出力される。
【００４６】
留守録応答メッセージの再生の場合は、ＯＧＭ制御部１７は、ＣＰＵ４の制御およびＣＰＵ４により記憶装置６から読み出された留守録応答メッセージデータに基づいて応答メッセージ信号ｓ７を作成し、この応答メッセージ信号ｓ７を、ラインＬ７を介して入力セレクタ２２に入力する。その後は、同様な処理により例えば、イヤホン５１ａ，５１ｂまたはスピーカ５２ａまたはイヤホン５３ａ，５３ｂにより応答メッセージが出力される。
【００４７】
また、通話時の受話の場合は、アンテナＡを介して受信した送受信部１１からの受話信号を復調部１３で復調し、通話音声信号ｓ５としてラインＬ５を介して入力セレクタ２１に入力する。その後は、同様な処理により例えば、イヤホン５１ａ，５１ｂまたはスピーカ５２ａまたはイヤホン５３ａ，５３ｂにより受話の音声が出力される。
【００４８】
以上説明したように本実施形態によれば、オーディオ部３からのオーディオ音声信号ｓ３，ｓ４および復調部１３からの通話音声信号ｓ５を音声選択部２によりミキシングし、イヤホンマイク５１のイヤホン５１ａ，５１ｂまたは携帯電話マイク・スピーカ５２のスピーカ５２ａまたはイヤホン／ヘッドホン５３のイヤホン（またはスピーカ）５３ａ，５３ｂに出力するので、重要なオーディオの再生中においても通話が可能となる。
【００４９】
また、オーディオ部３からのオーディオ音声信号ｓ３，ｓ４および復調部１３からの通話音声信号ｓ５を音声選択部２によりミキシングし、イヤホンマイク５１のイヤホン５１ａ，５１ｂまたは携帯電話マイク・スピーカ５２のスピーカ５２ａまたはイヤホン／ヘッドホン５３のイヤホン（またはスピーカ）５３ａ，５３ｂに出力する場合に、ユーザが入力部１４および表示部１５を用いて予め記憶装置６に記憶した優先度情報、または通話中にユーザが入力部１４および表示部１５を用いて設定する優先度情報に基づいてオーディオ音声信号ｓ３，ｓ４と通話音声信号ｓ５とのどちらを優先させて出力するかを決定するので、ユーザの設定により、オーディオ音声信号ｓ３，ｓ４および通話音声信号ｓ５のそれぞれを音量・ミュート制御でき、重要なオーディオの再生中は通話音量を下げ、重要な通話の場合はオーディオ再生をミュートするなどの制御が可能となる。
【００５０】
また、オーディオ部３からのオーディオ音声信号ｓ３，ｓ４およびリンガ制御部１６からの着信音信号ｓ６を音声選択部２によりミキシングし、イヤホンマイク５１のイヤホン５１ａ，５１ｂまたは携帯電話マイク・スピーカ５２のスピーカ５２ａまたはイヤホン／ヘッドホン５３のイヤホン（またはスピーカ）５３ａ，５３ｂに出力するので、重要なオーディオの再生中においても再生を中止することなく電話の着信を認識することが可能となる。
【００５１】
また、オーディオ部３からのオーディオ音声信号ｓ３，ｓ４およびリンガ制御部１６からの着信音信号ｓ６を音声選択部２によりミキシングし、イヤホンマイク５１のイヤホン５１ａ，５１ｂまたは携帯電話マイク・スピーカ５２のスピーカ５２ａまたはイヤホン／ヘッドホン５３のイヤホン（またはスピーカ）５３ａ，５３ｂに出力する場合に、ユーザが入力部１４および表示部１５を用いて予め記憶装置６に記憶した優先度情報、または通話中にユーザが入力部１４および表示部１５を用いて設定する優先度情報に基づいてオーディオ音声信号ｓ３，ｓ４と着信音信号ｓ６とのどちらを優先させて出力するかを決定するので、ユーザの設定により、入力セレクタ２１でオーディオ音声信号ｓ３，ｓ４をカットすることが可能であり、着信音信号ｓ６の優先度が高い場合にはオーディオ音声信号ｓ３，ｓ４をカットでき、逆にオーディオ音声信号ｓ３，ｓ４の優先度が高い場合には着信音信号ｓ６をカットすることが可能である。
【００５２】
また、オーディオ部３からのオーディオ音声信号ｓ３，ｓ４およびＯＧＭ制御部１７からの応答メッセージ信号ｓ７を音声選択部２によりミキシングし、イヤホンマイク５１のイヤホン５１ａ，５１ｂまたは携帯電話マイク・スピーカ５２のスピーカ５２ａまたはイヤホン／ヘッドホン５３のイヤホン（またはスピーカ）５３ａ，５３ｂに出力するので、重要なオーディオの再生中において再生を中断することなく、応答メッセージを確認することが可能になる。
【００５３】
また、オーディオ部３からのオーディオ音声信号ｓ３，ｓ４およびＯＧＭ制御部１７からの応答メッセージ信号ｓ７を音声選択部２によりミキシングし、イヤホンマイク５１のイヤホン５１ａ，５１ｂまたは携帯電話マイク・スピーカ５２のスピーカ５２ａまたはイヤホン／ヘッドホン５３のイヤホン（またはスピーカ）５３ａ，５３ｂに出力する場合に、ユーザが入力部１４および表示部１５を用いて予め記憶装置６に記憶した優先度情報、または通話中にユーザが入力部１４および表示部１５を用いて設定する優先度情報に基づいてオーディオ音声信号ｓ３，ｓ４と応答メッセージ信号ｓ７とのどちらを優先させて出力するかを決定するので、ユーザの設定により、入力セレクタ２１でオーディオ音声信号ｓ３，ｓ４をカットすることが可能であり、応答メッセージ信号ｓ７の優先度が高い場合にはオーディオ音声信号ｓ３，ｓ４をカットでき、逆にオーディオ音声信号ｓ３，ｓ４の優先度が高い場合には応答メッセージ信号ｓ７をカットすることが可能である。
【００５４】
また、オーディオ部３からの音声信号ｓ３，ｓ４およびマイク５１ｃからの音声信号ｓ１またはマイク５２ｂからの音声信号ｓ２またはイヤホン５３ｂからの音声信号ｓ１を音声選択部２によりミキシングし、変調部１３を介して通話相手に出力するので、重要なオーディオの音声信号ｓ３，ｓ４を通話相手に通知しつつ、コメントを付加することが可能になる。
【００５５】
また、オーディオ部３からの音声信号ｓ３，ｓ４およびマイク５１ｃからの音声信号ｓ１またはマイク５２ｂからの音声信号ｓ２またはイヤホン５３ｂからの音声信号ｓ１を２によりミキシングし、変調部１３を介して通話相手に出力する場合に、ユーザが入力部１４および表示部１５を用いて予め記憶装置６に記憶した優先度情報、または通話中にユーザが入力部１４および表示部１５を用いて設定する優先度情報に基づいてオーディオ音声信号ｓ３，ｓ４とマイク５１ｃからの音声信号ｓ１またはマイク５２ｂからの音声信号ｓ２またはイヤホン５３ｂからの音声信号ｓ１とのどちらを優先させて出力するかを決定するので、ユーザの設定により、入力セレクタ２１でオーディオ音声信号ｓ３，ｓ４をカットすることが可能であり、マイク５１ｃからの音声信号ｓ１またはマイク５２ｂからの音声信号ｓ２またはイヤホン５３ｂからの音声信号ｓ１の優先度が高い場合にはオーディオ音声信号ｓ３，ｓ４をカットでき、逆にオーディオ音声信号ｓ３，ｓ４の優先度が高い場合にはマイク５１ｃからの音声信号ｓ１またはマイク５２ｂからの音声信号ｓ２またはイヤホン５３ｂからの音声信号ｓ１をカットすることが可能である。
【００５６】
【発明の効果】
以上のように本発明によれば、電話部に関する音声信号とオーディオ部に関する音声信号とを優先度に従って選択して出力する音声選択部を備えたので、電話部に関する音声信号とオーディオ部に関する音声信号が同時に前記音声選択部に入力された場合、優先度の高い方の音声信号を選択して出力でき、また、両音声信号の優先度が同じであった場合、電話部に関する音声信号とオーディオ部に関する音声信号とを同時に出力できる。したがって、優先度の設定や変更により、優先して出力したい音声信号を選択でき、これにより、両音声信号を重要度に応じて使い分けることができ、ユーザにとって汎用性の高い携帯電話装置を得ることができる。
【００５７】
また、本発明によれば、電話部に関する音声信号とオーディオ部に関する音声信号とを優先度に従って選択し、選択された音声信号が１個の場合は該音声信号をミキシングせずに出力し、選択された音声信号が複数個の場合は該音声信号をミキシングして出力する音声選択部を備えたので、前記電話部に関する音声信号と前記オーディオ部に関する音声信号が同時に前記音声選択部に入力された場合、優先度の高い方の音声信号を選択して出力でき、また、両音声信号の優先度が同じであった場合、前記電話部に関する音声信号と前記オーディオ部に関する音声信号とをミキシングして出力できる。したがって、優先度の設定や変更により、優先して出力したい音声信号を選択でき、これにより、両音声信号を重要度に応じて使い分けることができ、ユーザにとって汎用性の高い携帯電話装置を得ることができる。
【図面の簡単な説明】
【図１】本発明の一実施形態に係る携帯電話装置の構成を示すブロック図である。
【図２】図１に示した電話部の詳細な構成を示すブロック図である。
【図３】図１に示した音声選択部の詳細な構成を示すブロック図である。
【図４】図１に示したオーディオ部の詳細な構成を示すブロック図である。
【図５】図１に示したマイク・スピーカ部に含まれる構成要素を示すブロック図である。
【符号の説明】
１　　電話部
２　　音声選択部
３　　オーディオ部
２１　　入力セレクタ
２２　　ミキシング回路
【図１】
2004015166.tif 000003
【図２】
2004015166.tif 000004
【図３】
2004015166.tif 000005
【図４】
2004015166.tif 000006
【図５】
2004015166.tif 000007